(57)【要約】【課題】インターネットにアクセスできる環境でない場合であっても余分な費用をかけずに最新ドライバを容易に入手できる携帯通信端末装置および通信システムを提供する。【解決手段】モデムドライバの取得により通信機能を持つパソコンと、パソコンと通信可能な携帯通信端末装置１０とを有し、携帯通信端末装置１０は、パソコンがＵＳＢ接続されるインターフェース装置１７と、モデムドライバの保存されるネットワーク上のサーバ装置のアドレスが記憶されるＲＡＭ１６と、インターフェース装置１７へのパソコン２０のＵＳＢ接続を判断すると、無線通信装置１４を通してサーバ装置への通信を行うとともにモデムドライバをダウンロードし、インターフェース装置１７にてモデムドライバをパソコン２０側に提供する制御装置１１とを有する。【選択図】      図４
2005318455.tif 000002
【特許請求の範囲】
【請求項１】
外部機器に接続される外部インターフェースと、
モデムドライバが保存されるネットワーク上のサーバのアドレスが記憶される記憶手段と、
通信網を介して他の通信端末と無線により通信可能な無線通信手段と、
上記外部インターフェースへの上記外部機器の接続を判断すると、上記無線通信手段を通して上記サーバへの通信を行ってモデムドライバをダウンロードすると共に、上記外部インターフェースにて上記モデムドライバを外部機器へ送信する制御手段と
を有することを特徴とする携帯通信端末装置。
【請求項２】
上記制御手段は、上記外部インターフェースへの外部機器の接続がＵＳＢ接続ならば上記ダウンロードを実行するよう制御する
ことを特徴とする請求項１に記載の携帯通信端末装置。
【請求項３】
報知手段をさらに有し、
上記制御手段は、上記モデムドライバを上記外部インターフェースにて外部機器へ送信し終えると、上記報知手段により報知する
ことを特徴とする請求項１または２に記載の携帯通信端末装置。
【請求項４】
上記制御手段は、上記報知後にモデムとしての使用が指示されると、上記外部機器主導の通信形態とする
ことを特徴とする請求項３に記載の携帯通信端末装置。
【請求項５】
上記制御手段は、上記外部機器から上記モデムドライバを用いたアクセス要求がなされる上記外部機器主導での通信を行えるよう制御する
ことを特徴とする請求項１乃至４のいずれか一に記載の携帯通信端末装置。
【請求項６】
報知手段をさらに有し、
上記制御手段は、上記ダウンロードの実行前に上記無線通信手段の通信環境を確認し、通信速度が遅い環境である場合には、当該通信速度が遅い環境である旨を上記報知手段により報知する
ことを特徴とする請求項１に記載の携帯通信端末装置。
【請求項７】
モデムドライバの取得により通信機能を持つ外部機器と、
上記外部機器と通信可能な携帯通信端末装置と、を有し、
上記携帯通信端末装置は、
上記外部機器に接続される外部インターフェースと、
モデムドライバが保存されるネットワーク上のサーバのアドレスが記憶される記憶手段と、
通信網を介して他の通信端末と無線により通信可能な無線通信手段と、
上記外部インターフェースへの上記外部機器の接続を判断すると、上記無線通信手段を通して上記サーバへの通信を行ってモデムドライバをダウンロードすると共に、上記外部インターフェースにて上記モデムドライバを外部に提供する制御手段と、を含む
ことを特徴とする通信システム。
【請求項８】
モデムドライバを保存するサーバと、
上記サーバとネットワークを通して通信可能な携帯通信端末装置と、を有し、
上記携帯通信端末装置は、
外部機器に接続される外部インターフェースと、
モデムドライバが保存されるネットワーク上のサーバのアドレスが記憶される記憶手段と、
通信網を介して他の通信端末と無線により通信可能な無線通信手段と、
上記外部インターフェースへの上記外部機器の接続を判断すると、上記無線通信手段を通して上記サーバへの通信を行ってモデムドライバをダウンロードすると共に、上記外部インターフェースにて上記モデムドライバを外部に提供する制御手段と、を含む
ことを特徴とする通信システム。
【請求項９】
モデムドライバの取得により通信機能を持つ外部機器と、上記外部機器と通信可能で、通信網を介して他の通信端末と無線により通信可能な携帯通信端末装置と、を用いた通信方法であって、
上記携帯通信端末装置が外部機器の接続を判断し、
外部機器が接続された場合、上記無線通信手段を通してモデムドライバの保存されるネットワーク上のサーバへの通信を行うとともにモデムドライバをダウンロードし、
ダウンロードした上記モデムドライバを上記外部機器に対して、上記外部機器との通信機能により提供する
ことを特徴とする通信方法。
【発明の詳細な説明】
【技術分野】
【０００１】
本発明は、パーソナルコンピュータ等の外部機器と接続可能な携帯電話機等の携帯通信端末装置および通信システムに係り、特に、外部機器に、たとえば双方向通信可能なインターフェースであるＵＳＢ（Ｕｎｉｖｅｒｓａｌ  Ｓｅｒｉａｌ  Ｂｕｓ）接続により通信モデムとして使用可能な携帯通信端末装置、通信システム、および通信方法に関するものである
【背景技術】
【０００２】
携帯電話機等の携帯通信端末装置において、ＵＳＢ接続により携帯通信端末装置とパーソナルコンピュータ（以下、単にパソコンという）と接続し、携帯通信端末装置を通信用モデムとして利用できる機能がある（たとえば特許文献１参照）。
この機能をパソコンに持たせることには、携帯通信端末装置を通信モデムとして使用するための事前準備としてパソコン側にモデムドライバをインストールする必要がある。
【０００３】
モデムドライバは、次の第１、第２、および第３の方法のいずれかでパソコンに提供される。
第１の方法では、ＣＤ−ＲＯＭ等のメディアと携帯通信端末装置とを同梱して販売し、ユーザに提供する。
第２の方法では、携帯通信端末装置とは異なる他の通信手段、たとえば固定電話回線を用いたダイヤルアップ等によりインターネット接続できるパソコンで提供サーバよりドライバをダウンロードし入手する。
第３の方法では、携帯通信端末装置がパソコンに接続されると自動的にインターネット上のＦＴＰサーバにアクセスし、ドライババージョン情報を取得する。メモリにドライバプログラムの圧縮ファイルが記憶されていれば、このファイルのバージョン情報を読み出し、ＦＴＰサーバから取得したバージョン情報と比較し、より新しいバージョンのドライバを、パソコン側のメモリに自動的にインストールすることができる。
【特許文献１】特開２００３−２９８７６２号公報
【発明の開示】
【発明が解決しようとする課題】
【０００４】
しかしながら、上記各方法では以下のような不利益がある。
第１の方法のように、ＣＤ−ＲＯＭ等のメディアを同梱する場合、メディアを同梱するための余分な費用の負担が発生し、また、最新のドライバを入手することができない。
【０００５】
第２の方法のように、インターネット接統できるパソコンによりＷｅｂより提供する場合、パソコンがインターネットにアクセスできる環境でないとダウンロードして入手することができない。
【０００６】
第３の方法の場合、携帯通信端末装置をパソコンに接続する場合には必ずドライババージョンを確認するためにインターネット接続が発生することになる。
一般的に、ドライババージョンの更新はさほど頻繁に行われるものではないにもかかわらず、無駄な通信を行うことは不便である。
また、接続するために、毎回携帯通信端末装置のブラウザが起動するので、ドライババージョンが更新されていない場合はユーザがブラウザを閉じてから当初の用途を実施することになり、大変不便である。
【０００７】
本発明は、かかる事情に鑑みてなされたものであり、その目的は、インターネットにアクセスできる環境でない場合であっても余分な費用をかけることなく最新ドライバを容易に入手できる携帯通信端末装置および通信システムを提供することにある。
【課題を解決するための手段】
【０００８】
上記目的を達成するため、本発明の第１の観点の携帯通信端末装置は、外部機器に接続される外部インターフェースと、モデムドライバが保存されるネットワーク上のサーバのアドレスが記憶される記憶手段と、通信網を介して他の通信端末と無線により通信可能な無線通信手段と、上記外部インターフェースへの上記外部機器の接続を判断すると、上記無線通信手段を通して上記サーバへの通信を行ってモデムドライバをダウンロードすると共に、上記外部インターフェースにて上記モデムドライバを外部機器へ送信する制御手段とを有する。
【０００９】
好適には、上記制御手段は、上記外部インターフェースへの外部機器の接続がＵＳＢ接続ならば上記ダウンロードを実行するよう制御する。
【００１０】
好適には、報知手段をさらに有し、上記制御手段は、上記モデムドライバを上記外部インターフェースにて外部機器へ送信し終えると、上記報知手段により報知する。
【００１１】
好適には、上記制御手段は、上記報知後にモデムとしての使用が指示されると、上記外部機器主導の通信形態とする。
【００１２】
好適には、上記制御手段は、上記外部機器から上記モデムドライバを用いたアクセス要求がなされる上記外部機器主導での通信を行えるよう制御する。
【００１３】
好適には、報知手段をさらに有し、上記制御手段は、上記ダウンロードの実行前に上記無線通信手段の通信環境を確認し、通信速度が遅い環境である場合には、当該通信速度が遅い環境である旨を上記報知手段により報知する。
【００１４】
本発明の第２の観点の通信システムは、モデムドライバの取得により通信機能を持つ外部機器と、上記外部機器と通信可能な携帯通信端末装置と、を有し、上記携帯通信端末装置は、上記外部機器に接続される外部インターフェースと、モデムドライバが保存されるネットワーク上のサーバのアドレスが記憶される記憶手段と、通信網を介して他の通信端末と無線により通信可能な無線通信手段と、上記外部インターフェースへの上記外部機器の接続を判断すると、上記無線通信手段を通して上記サーバへの通信を行ってモデムドライバをダウンロードすると共に、上記外部インターフェースにて上記モデムドライバを外部に提供する制御手段と、を含む。
【００１５】
本発明の第３の観点の通信システムは、モデムドライバを保存するサーバと、上記サーバとネットワークを通して通信可能な携帯通信端末装置と、を有し、上記携帯通信端末装置は、外部機器に接続される外部インターフェースと、モデムドライバが保存されるネットワーク上のサーバのアドレスが記憶される記憶手段と、通信網を介して他の通信端末と無線により通信可能な無線通信手段と、上記外部インターフェースへの上記外部機器の接続を判断すると、上記無線通信手段を通して上記サーバへの通信を行ってモデムドライバをダウンロードすると共に、上記外部インターフェースにて上記モデムドライバを外部に提供する制御手段と、を含む。
【００１６】
本発明の第４の観点の通信方法は、モデムドライバの取得により通信機能を持つ外部機器と、上記外部機器と通信可能で、通信網を介して他の通信端末と無線により通信可能な携帯通信端末装置と、を用いた通信方法であって、上記携帯通信端末装置が外部機器の接続を判断し、外部機器が接続された場合、上記無線通信手段を通してモデムドライバの保存されるネットワーク上のサーバへの通信を行うとともにモデムドライバをダウンロードし、ダウンロードした上記モデムドライバを上記外部機器に対して、上記外部機器との通信機能により提供する。
【発明の効果】
【００１７】
本発明によれば、外部機器がインターネットにアクセスできる環境でない場合であっても余分な費用をかけることなく最新ドライバを容易に入手できる利点がある。
【発明を実施するための最良の形態】
【００１８】
以下、本発明の実施形態を図面に関連付けて説明する。
【００１９】
図１は、本発明に係る携帯通信端末装置を採用した通信システムの一実施形態を示す構成図である。
【００２０】
本通信システム１は、たとえば携帯電話機からなる携帯通信端末装置１０、携帯通信端末装置１０とＵＳＢ接続可能でモデムドライバを取得すると通信機能を持つことができる（通信機能を発現することができる）パソコン（ＰＣ）２０、基地局３０、無線通信網（ネットワーク）４０、およびモデムドライバを保存するネットワーク上のサーバ装置５０を主構成要素として有している。
【００２１】
本実施形態に係る携帯通信端末装置１０は、ｗｅｂ等のネットワーク４０と接続する機能を有し、パソコン２０とＵＳＢ接続によりプラグインでき、端末装置１０側のＵＳＢドライバがストレージ機能およびモデム機能をサポートし、かつＵＳＢドライバの切り替え機能を有する。
すなわち、携帯通信端末装置１０は、ネットワーク通信を行い、自身もパソコン２０と接続してモデムとして利用可能な携帯端末である。
また、携帯通信端末装置１０は、それ単体でも携帯電話事業者等の提供する独自のネットワークに接続可能であっても良い。
【００２２】
本通信システム１においては、ｗｅｂ等のネットワークからパソコン２０側のモデムドライバをダウンロードして携帯通信端末装置１０のメモリに保存後、パソコン２０には外部メモリとして認識させて、メモリに保存したパソコン２０側のモデムドライバをインストールし、インストール完了後に初めてモデムとして利用することで、ＣＤ等の媒体を利用せずにパソコン２０側のモデムドライバをユーザに提供する。
【００２３】
この通信システム１においては、たとえば以下の２つの方式を採用可能である。第１方式については図２のフローチャートに関連付け、第２方式については図３のフォーチャートに関連付けて説明する。
【００２４】
第１方式
携帯通信端末装置（ＭＴ）１０とパソコン（ＰＣ）２０とのＵＳＢ接続がなされると、ステップＳＴ１において、パソコン（ＰＣ）２０は携帯通信端末装置（ＭＴ）１０側のメモリ（データフオルダ）をリムーバブルメモリとして認識させる。
ステップＳＴ２において、初期状態（デフォルト）では、携帯通信端末装置１０はパソコン２０にとってはリムーバブルメモリとして認識されるが、携帯通信端末装置１０をリムーバブルメモリとして利用するか、モデムとして利用するかは携帯通信端末装置１０上でユーザが設定する（設定できる）。
ここで、モデムとして利用する設定にされていればステップＳＴ３に続くが、リムーバブルメモリの設定ならばここで終了する。
ステップＳＴ３において、モデムドライバは携帯通信端末装置（ＭＴ）１０から携帯通信端末装置１０単体の制御により無線通信によりｗｅｂ（インターネット上のサーバ装置５０）等よりダウンロードして入手し、携帯通信端末装置（ＭＴ）１０内のメモリ（データフオルダ）に保存する。
ステップＳＴ４において、パソコン（ＰＣ）２０は携帯通信端末装置（ＭＴ）１０のメモリ（データフォルダ）よりモデムドライバを入手し、インストールする。
ステップＳＴ５において、インストール後、パソコン２０はＵＳＢ接続されている携帯通信端末装置１０をモデムとして認識し制御できるようになり、ユーザは携帯通信端末装置（ＭＴ）１０をモデムとして利用できるように設定する。
ステップＳＴ６において、パソコン（ＰＣ）２０は携帯通信端末装置（ＭＴ）１０を通信モデムとして認識する。
【００２５】
上記のように第１方式では、ＵＳＢモードの設定をユーザが手動で切り替えている。
第２方式では、自動的にＵＳＢモードを切り替える。
【００２６】
第２方式
携帯通信端末装置（ＭＴ）１０とパソコン（ＰＣ）２０とのＵＳＢ接続がなされると、ステップＳＴ１１において、パソコン２０は携帯通信端末装置（ＭＴ）１０側のメモリ（データフオルダ）をリムーバブルメモリとして認識させる。
ステップＳＴ１２において、モデムドライバは携帯通信端末装置（ＭＴ）１０が単体の制御で無線通信によりｗｅｂ（インターネット上のサーバ装置５０）等よりダウンロードして入手し、携帯通信端末装置（ＭＴ）１０内のメモリ（データフオルダ）に保存する。
ステップＳＴ１３において、携帯通信端末装置１０は、モデムドライバをｗｅｂ等からダウンロードして携帯電話端末装置（ＭＴ）１０内のメモリに保存する際に、このメモリにドライバが更新されたことを示すフラグを立てる（フラグオン）。
ステップＳＴ１４において、パソコン（ＰＣ）２０は、携帯通信端末装置（ＭＴ）１０のメモリ（データフォルダ）よりドライバを入手し、インストールする。
ステップＳＴ１５において、パソコン２０へのドライバインストールが完了した時点で、ドライバ更新フラグを「更新なし」に戻す（フラグオフ）。
ステップＳＴ１６において、携帯通信端末装置（ＭＴ）１０がパソコン（ＰＣ）２０とのＵＳＢ接続を検出した場合、ドライバ更新フラグを参照して、ステップＳＴ１７においてドライバが更新されていれば、ステップＳＴ１８において携帯通信端末装置（ＭＴ）１０はリムーバブルメモリとしてパソコン（ＰＣ）２０と接続し、更新されていなければステップＳＴ１９において携帯通信端末装置（ＭＴ）１０はモデムとしてパソコン２０と接続する。
【００２７】
以下、ネットワーク通信を行い、自身もパソコン２０とＵＳＢ接続いてモデムとして利用可能な携帯通信端末装置１０の具体的な構成および機能の一例を説明する。
【００２８】
図４は、本発明の係る携帯通信端末装置１０の一構成例を示すブロック図である。
【００２９】
携帯通信端末装置１０は、図４に示すように、制御装置１１、発呼や着呼、携帯通信端末装置１０単体でＷｅｂ接続する他、ユーザがＵＳＢモードを切り替えたり、インターネットを経由してモデムドライバをダウンロードする目的で携帯通信端末装置１０を操作するための入力装置１２、ユーザに現在の設定や設定メニュー等を提供するための報知手段としての一つである表示装置１３、ドライバを入手するためにインターネットに接続したり、ＵＳＢモードが「モデム」に設定された場合に、ネットワーク４０と接続を行うための無線通信装置１４、プログラムを格納するためのＲＯＭ１５、ＵＳＢモードの設定等を保持しておくための記憶手段してのＳＲＡＭ１６、パソコン２０と携帯通信端末装置１０を接続するためのＵＳＢインターフェース（Ｉ／Ｆ）装置１７を有している。またたとえば、ＳＲＡＭ１６には、モデムドライバの保存されるネットワーク上のサーバ装置のアドレスが記憶される。また、特に図示しないが、携帯通信端末装置１０は、制御装置１１により制御されるマイクロフォンとスピーカを備え、通話等のために用いられることはいうまでもない。ここで、スピーカについては、報知手段の一つとしても数えられる。
そして、各構成要素は外部バス１８によって接続されている。
【００３０】
制御装置１１は、ＲＯＭ１５に記憶されている各種システムプログラムを読み出して実行し、各部を駆動制御する。
また、制御装置１１は、携帯通信端末装置１０の通信や表示や音声の制御の他、入力装置１２における入力操作にしたがって、ＲＯＭ１５およびＳＲＡＭ１６に記憶された各種プログラムを読み出して実行し、各部を起動する。
制御装置１１は、ＵＳＢインターフェース装置１７への外部機器であるパソコン２０のＵＳＢ接続を判断すると、ＳＲＡＭ１６に記憶されるアドレスを利用して通信装置１４を通してサーバ装置５０への通信を行うとともにモデムドライバをダウンロードする。
制御装置１１は、ＵＳＢインターフェース装置１７への外部機器であるパソコン２０の接続がＵＳＢかどうかを判断し、ＵＳＢ接続ならばモデムドライバのグウンロードを実行するよう通信装置１４等を制御する。
制御装置１１は、モデムドライバをインターフェース装置１７にてパソコン２０側に送信し終えると、報知手段としての表示装置１３により送信完了を表示して報知する。
なお、図４には図示していないが、たとえば携帯通信端末装置１０が携帯電話機の場合には、スピーカ等を含む放音部を有していることから、報知手段としてはこの放音部を利用してモデムドライバのパソコン２０への送信を完了したことを放音して報知するように構成することも可能である。
そして、制御装置１１は、送信完了の報知後にモデムとしての使用が指示されると、パソコン２０主導の通信形態とする。
また、制御装置１１は、パソコン２０からモデムドライバを用いたアクセス要求がなされるパソコン２０主導での通信を行えるよう制御する。
【００３１】
現在、通信方式として、複数の方式を備えるものが多数登場してきている。この場合、両者の間で通信速度が圧倒的に異なるものも多く提示されている。たとえばＣＤＭＡ２０００方式とＥＶＤＯ方式などがあり得る。前者は１４４ｋｂｐｓ程度、後者は２Ｍｂｐｓ程度の能力を備える。
こういった場合、本発明のモデムドライバのダウンロードについて、そのデータ量にもよるが、ＵＳＢ接続を検出し、サーバ装置へアクセスを開始する際に、制御装置１１は、周辺の網状態を再確認し、高速な通信であるＥＶＤＯ方式による通信が行える状況下では即通信を開始して良いが、ＥＶＤＯ方式による通信が行えない場合には通信を開始せず、ユーザに確認させるように、ＬＣＤ等の表示装置１３に「ダウンロードにかかる時間が長くなってしまう」ことを表示させたり、もしくはパソコン２０の表示画面しかユーザは見ていない可能性があるため、着信音を放音するスピーカから警告音を出力するように構成したり、また両者を組み合わせた構成するすることも可能である。
また、パソコン２０側の能力を確認した上で、ダウンロードを開始させても良い。
【００３２】
図５（Ａ）〜（Ｅ）は、携帯通信端末装置１０上でＵＳＢモードを「マスストレージ」−「モデム」のいずれかにユーザが設定する場合の表示装置１３上の表示例を示す図である。
【００３３】
図５（Ａ），（Ｂ）に示すように、表示装置１３の画面上には、通信モードとして、「データ転送モード」と「ＵＳＢモード」が表示される。
たとえば図５（Ｂ），（Ｃ）に示すように、「ＵＳＢモード」を選択して決定ボタンを操作すると、「ＵＳＢモード」として「ストレージ」と「モデム」が表示される。
「モデム」を選択する場合には、図５（Ｃ）の画面において決定ボタンを操作することによりモデムへの設定が完了する。
また、「ストレージ」を選択する場合には、図５（Ｄ）の画面において決定ボタンを操作することによりモデムへの設定が完了する。
設定が完了すると、図５（Ｅ）に示すように、設定したことが表示される。
【００３４】
制御装置１１は、上記画面にて、入力装置１２経由でユーザが設定したＵＳＢモードをＳＲＡＭ１６に保存する。
インターフェース（Ｉ／Ｆ）装置１７によって、携帯通信端末装置１０がパソコン２０に接続されると、制御装置１１はＳＲＡＭ１６に保存されているＵＳＢモード設定値を読み出し、ＲＯＭ１５に保存されているプログラムを実行する。
【００３５】
ＵＳＢモード設定が「マスストレージ」に設定されている場合は、携帯通信端末装置１０はパソコン２０から外部メモリとして認識される。
一方、ＵＳＢモード設定が「モデム」に設定されている場合、携帯通信端末装置１０はパソコン２０からモデムとして認識される。
【００３６】
上記動作を実現するために、ＲＯＭ１５に保存されるプログラムをブロック図で表すと、図６のようになる。
【００３７】
図６において、ブラウザは、ユーザがインターネット上に保存されているパソコン２０側のモデムドライバを携帯通信端末装置１０のＳＲＡＭ１６上にダウンロードするために利用される。
そのためには、ブラウザモジュールで、パソコン２０側のモデムドライバをダウンロードファイルとして有効と判定する必要がある。
【００３８】
図６において、制御部は、ダウンロードされたファイルをＤＢに保存する。保存されたファイルは、パソコンから認識できれば良く、携帯通信端末装置１０上ではドライバファイルとして認識されても、不明なファイルと扱われても構わない。
【００３９】
なお、携帯通信端末装置１０のＳＲＡＭ１６のＵＳＢ設定値は、デフォルトでは「マスストレージ」に設定されているものとする。
上述したように、パソコン２０に携帯通信端末装置１０を接続する場合、携帯通信端末装置１０はパソコン２０から外部メモリとして認識される。
【００４０】
ユーザはパソコン２０上から、携帯通信端末装置１０のＳＲＡＭ１６上に保存されているモデムドライバをインストールする。
インストール方法としては、ｓｅｔｕｐ，ｅｘｅを実行して自動的にインストールを完了しても、ユーザが手動で所定の場所にドライバを保存してもよいものとする。
【００４１】
モデムドライバのインストール完了後、ユーザはＵＩ操作で、所定のメニューから、ＵＳＢモードを「モデム」に設定する。
制御部はＤＢ経由でＳＲＡＭ１６上のＵＳＢ設定値を「モデム」に設定する。
【００４２】
「モデム」に設定後、携帯通信端末装置１０がパソコン２０にＵＳＢインターフェース装置１７経由で接続されると、携帯通信端末装置１０側のＵＳＢドライバはＳＲＡＭ１６上のＵＳＢ設定値を参照し、モデムとしてパソコン２０に認識されるようにポートを自動的に切り替えて接続する。
【００４３】
図７は、携帯通信端末装置１０側のＵＳＢモードの切替処理を示すシーケンス図である。
【００４４】
ユーザがＵＳＢモードを切り替えた後でＵＳＢ接続をした場合、またはＵＳＢ接続した状態で携帯通信端末装置１０上からＵＳＢモードを切り替えた場合、ＵＳＢドライバは上位側からポート切替要求を受け取り、まず、マスストレージ機能に対してクローズ要求（ＣＬＯＳＥ）を発行する。
【００４５】
マスストレージはクローズ完了を確認したところで、その旨を通知する。
ＵＳＢドライバは、それまでポートを使用していたマスストレージサービスからのクローズ確認の通知を受けとった後（ＮＯＴＩＦＹ）、モデム機能に対してオープン要求を発行する（ＯＰＥＮ）。
モデムサービスはオープン成功を確認したところで、ＵＳＢドライバに対してその旨を通知する（ＮＯＴＩＦＹ）。
【００４６】
ＵＳＢドライバは呼び出し元から要求のあったモデム機能のオープン確認通知を受けとると、呼び出し元に対してその旨をコールバックで通知する（Ｒｅｔｕｒｎ）。
【００４７】
なお、上記実施形態においては、携帯電話端末装置１０のＵＳＢモード切替は、ユーザが入力部１２を利用して手動で行っていたが、あくまで一実施形態であり、図３に関連付けて説明した第２方式のように、ドライバがＥＺｗｅｂ等経由で更新されたら自動的にＵＳＢモードをマスストレージモードに切り替え、ドライバのインストール実施後は自動的にモデムモードに切り替えるような形態についても本発明が連用されるのは言うまでもない。
【００４８】
以上説明したように、本実施形態によれば、モデムドライバの取得により通信機能を持つパソコン２０と、パソコン２０と通信可能な携帯通信端末装置１０とを有し、携帯通信端末装置１０は、パソコン２０がＵＳＢ接続されるインターフェース装置１７と、モデムドライバの保存されるネットワーク上のサーバ装置のアドレスが記憶されるＲＡＭ１６と、インターフェース装置１７へのパソコン２０のＵＳＢ接続を判断すると、無線通信装置１４を通してサーバ装置への通信を行うとともにモデムドライバをダウンロードし、インターフェース装置１７にてモデムドライバをパソコン２０側に提供する制御装置１１とを有する。
【００４９】
すなわち、携帯通信端末装置１０とパソコン２０はＵＳＢ接続によりプラグインでき、携帯通信端末装置１０側のメモリ（データフォルダ）をリムーバブルメモリとして利用でき、また、携帯通信端末装置１０は、モデムドライバはｗｅｂ等より入手し所定のメモリ（データフォルダ）に自動保存する機能を有し、携帯通信端末装置１０のＵＳＢドライバがマスストレージ機能およびモデム機能をサポートし、ＵＳＢドライバのマスストレージ機能とモデム機能を切り替えることから、メディアを同梱するための余分な費用の負担が発生しない。
メディアが手元にない場足でも使用できる。
パソコンがインターネットにアクセスできる環境になくても最新ドライバをダウンロードして入手することできる。
携帯通信端末装置１０をリムーバブルメモリとしても通信モデムとしても利用することができる。
携帯通信端末装置１０が通信できるところでは、確実に使用することが可能となる。携帯通信端末１０が通信できなければ、ドライバを入手できても通信自体ができないので、その場合は考慮にいれなくても全く問題ない。
【００５０】
また、別の観点から本発明により、大きく２つのことも言える。
（１）他に全くネットワーク接続手段の無い人であっても、モデムドライバをネットから得ることが可能である。
従来技術の組み合わせでは、モデム以外のデバイスのドライバしか、ネットワークに置くことは考えられなかった。
なぜならば、モデムドライバの無い状態でネットワーク接続できないためである。
【００５１】
（２）本当に使用するかどうかわからないにもかかわらず、ＣＤ−ＲＯＭを同梱する必要が無くなり、コスト的にも環境配慮的にも優れる。
たとえばＥＶＤＯ等の通信速度の速い方式対応の端末になると、モデムとして使おうという人が増加すると思われる。しかし、基本的には携帯電話機として使用する人が多いと思われ、モデムドライバのほしい人の数が、モデムとして使う予定の無い人の数を圧倒的に上回らない限り、各種コストを要する同梱販売は避けたい。
さらに、ＥＶＤＯにて提供されている通信費定額制や、ダウンロード速度等を考えると、モデムドライバをネットワーク上に持たせることは有効である。
【図面の簡単な説明】
【００５２】
【図１】本発明に係る携帯通信端末装置を採用した通信システムの一実施形態を示す構成図である。
【図２】本実施形態に係る第１方式を説明するためのフローチャートである。
【図３】本実施形態に係る第２方式を説明するためのフローチャートである。
【図４】本発明の係る携帯通信端末装置の一構成例を示すブロック図である。
【図５】本実施形態に係る携帯通信端末装置上でＵＳＢモードを「マスストレージ」−「モデム」のいずれかにユーザが設定する場合の表示装置上の表示例を示す図である。
【図６】図４のＲＯＭに保存されるプログラム例を表すブロック図である。
【図７】本実施形態に係る携帯通信端末装置側のＵＳＢモードの切替処理を示すシーケンス図である。
【符号の説明】
【００５３】
１…通信システム、１０…携帯通信端末装置、１１…制御装置、１２…入力装置、１３…表示装置、１４…無線通信装置、１５…ＲＯＭ、１６…ＳＲＭＡ、１７…インターフェース（Ｉ／Ｆ）装置、１８…バス、２０…パーソナルコンピュータ（パソコン、ＰＣ）、３０…基地局、４０…無線通信網（ネットワーク）、５０…サーバ装置。
【図１】
2005318455.tif 000003
【図２】
2005318455.tif 000004
【図３】
2005318455.tif 000005
【図４】
2005318455.tif 000006
【図５】
2005318455.tif 000007
【図６】
2005318455.tif 000008
【図７】
2005318455.tif 000009